(57)【要約】  本発明による車両用直流モーターは、カバーアセンブリ１０；前記カバーアセンブリ１０と結合される下部ハウジング４０と、前記カバーアセンブリ１０の内部に配置される複数個の励磁極３１を有するヨークアセンブリ３０；前記励磁極３１と相互作用するコイル２１が巻かれる複数個の極歯２２Ａを有するアーマチュアコア２２と、前記アーマチュアコア２２の上、下部に結合した上、下インシュレータ２３、２４を含んだアーマチュアアセンブリ２０；前記アーマチュアコア２２の下方に設けられ、励磁極３１と対応して同じ個数の整流子薄膜５１を有する整流子５０；及び前記下部ハウジング４０の内側に配置され、前記アーマチュアアセンブリ２０が回転することによって前記整流子５０と選択的に接触されるブラシ６１を含んだブラシホルダー６０；前記アーマチュアコア２２と整流子５０が結合されて一緒に回転する回転軸７０；前記回転軸７０の上、下部それぞれに設けた上、下、左、右振動及び騷音減衰用緩衝手段８０；前記ブラシホルダー６０に設けてヨークアセンブリ３０を構成するヨーク円筒体３２に嵌めて設けるブラシホルダーの左、右振動及び騷音減衰用緩衝手段９０；前記ブラシホルダー６０の支持体６２に形成したコネクタ安着部６３に結合した電源供給用コネクタ１００を含む接地手段１１０；及び前記ブラシホルダー６０の支持体６２の中央に設けられた整流子５０の上方に接するように設けた絶縁手段１２０を含んで構成することを特徴とする。【選択図】  図３
2019533420.tif 000002
【特許請求の範囲】
【請求項１】
カバーアセンブリ１０；
前記カバーアセンブリ１０と結合される下部ハウジング４０と、前記カバーアセンブリ１０の内部に配置される複数個の励磁極３１を有するヨークアセンブリ３０；
前記励磁極３１と相互作用するコイル２１が巻かれる複数個の極歯２２Ａを有するアーマチュアコア２２と、前記アーマチュアコア２２の上、下部に結合した上、下インシュレータ２３、２４を含んだアーマチュアアセンブリ２０；
前記アーマチュアコア２２の下方に設けられ、励磁極３１と対応して同じ個数の整流子薄膜５１を有する整流子５０；及び前記下部ハウジング４０の内側に配置され、前記アーマチュアアセンブリ２０が回転することによって前記整流子５０と選択的に接触されるブラシ６１を含んだブラシホルダー６０；
前記アーマチュアコア２２と整流子５０が結合されて一緒に回転する回転軸７０；
前記回転軸７０の上、下部のそれぞれに設置した上、下、左、右振動及び騷音減衰用緩衝手段８０；
前記ブラシホルダー６０に設けてヨークアセンブリ３０を構成するヨーク円筒体３２に嵌めて設けるブラシホルダーの左、右振動及び騷音減衰用緩衝手段９０；
前記ブラシホルダー６０の支持体６２に形成したコネクタ安着部６３に結合した電源供給用コネクタ１００を含む接地手段１１０；及び前記ブラシホルダー６０の支持体６２の中央に設けられた整流子５０の上方に接するように設けた絶縁手段１２０；
を含んで構成することを特徴とする車両用直流モーター。
【請求項２】
上、下、左、右の振動及び騷音減衰用緩衝手段８０は、上、下部ブラケット８１、８２と；上、下部弾性緩衝部材８３、８４；を含んで構成することを特徴とする請求項１に記載の車両用直流モーター。
【請求項３】
上、下、左、右の振動及び騷音減衰用緩衝手段８０は、前記上、下部ブラケット８１、８２それぞれの支持部８１Ａ、８２Ａの折曲部端それぞれに形成した凹溝部８１Ｃ、８２Ｃとヨーク円筒体３２の上、下部突部３２Ａ、３２Ｂが相互結合されて構成し、前記上、下部ブラケット８１、８２それぞれの支持部８１Ａ、８２Ａの上端には結着孔８１Ｄ、８２Ｄを形成して上、下部弾性緩衝部材８３、８４に突出するように形成した嵌合突起８３Ａ、８４Ａを前記結着孔８１Ｄ、８２Ｄに嵌めて前記上、下部弾性緩衝部材８３、８４が上、下部ブラケット８１、８２と結合して構成することを特徴とする請求項２に記載の車両用直流モーター。
【請求項４】
前記上、下部弾性緩衝部材８３、８４は、上、下部ブラケット８１、８２それぞれの上、下軸受け１４０、１５０を収容する上、下軸受け収容カバー８１Ｅ、８２Ｅの外側の周りを包む形態で安着されるようにした後、上部弾性緩衝部材８３の外側の周りは、カバーアセンブリ１０の回転軸孔１０Ａの内側面に接するようにし、下部弾性緩衝部材８４の外側の周りは、下部ハウジング４０の中央凹入部周りの内側面と接するように設けて構成することを特徴とする請求項２に記載の車両用直流モーター。
【請求項５】
前記嵌合突起８３Ａ、８４Ａは、係止突起８３Ａ´、８４Ａ´を形成して構成することを特徴とする請求項３に記載の車両用直流モーター。
【請求項６】
前記ブラシホルダーの左、右振動及び騷音減衰用緩衝手段９０は、ブラシホルダー６０の支持体６２に一定間隔を置いて突出するように形成した複数の嵌合突起６２Ａと結合する複数の緩衝部材９０Ａと；前記緩衝部材９０Ａの外側の周りに形成した嵌合凹入部９０Ａ´；を含んで構成し、前記緩衝部材９０Ａの嵌合凹入部９０Ａ´をヨーク円筒体３２の下方の周りに形成した嵌合突部３２Ｃに嵌めて設けて構成することを特徴とする請求項１に記載の車両用直流モーター。
【請求項７】
前記緩衝部材９０Ａの内部には、嵌合空間部９０Ａ"を形成して前記嵌合突起６２Ａが嵌められるように構成することを特徴とする請求項６に記載の車両用直流モーター。
【請求項８】
前記緩衝部材９０Ａの嵌合空間部９０Ａ"内側の両端には、前、後方係止突起９０Ａ−１を形成し、前記係止突起９０Ａ−１、９０Ａ−２に前記嵌合突起６２Ａの凹入部６２Ａ−１が嵌められるようにして嵌合突起６２Ａと緩衝部材９０Ａが結合されるように構成することを特徴とする請求項６に記載の車両用直流モーター。
【請求項９】
前記ヨーク円筒体３２の下方の周りに形成した嵌合突部３２Ｃは、中央に形成した空間部３２Ｃ´の両端に突出させた突出片で形成し、前記空間部３２Ｃ´内側の下端は、前記緩衝部材９０Ａの嵌合凹入部９０Ａ´の上端に接するようにし、ヨーク円筒体３２の両側嵌合突部３２Ｃは、前記緩衝部材９０Ａの嵌合凹入部９０Ａ´の両側に嵌めて結合して構成することを特徴とする請求項６に記載の車両用直流モーター。
【請求項１０】
電源供給用コネクタ１００を含む接地手段１１０は、前記円筒状の支持体６２のブラシケース６１Ａの内部にバネ６１Ｂでブラシ６１を弾設させて整流子薄膜５１に前記ブラシ６１が接するようにして電流が通電されるように構成するブラシホルダー６０において、前記支持体６２のブラシホルダー６０の支持体６２に形成したコネクタ安着部６３の両端に形成した係止孔６３Ａに電源供給用コネクタ１００本体１００−１の両端に突出するように形成した締結片１００−１´の係止突起１００−１"をかけて締結し、前記本体１００−１の内部に挿入された＋電源用コネクタピン１００−２と接地用コネクタピン１００−３それぞれの下方に突出するように形成した嵌合突出接続片１００−２´、１００−３´を前記コネクタ安着部６３底面の外側下方に突出させ、前記嵌合突出接続片１００−２´、１００−３´の嵌合溝１００−２"、１００−３"にチョークコイル１６０それぞれの一側端子を嵌めて接続し、前記接地用コネクタピン１００−３の一側に形成した接地端子１００−３´"をヨーク円筒体３２の接地結合用嵌合溝３２Ｄに嵌めて構成することを特徴とする請求項１に記載の車両用直流モーター。
【請求項１１】
前記接地端子１００−３´"は、接地用コネクタピン１００−３の一側の上方に突出させ、内側に屈曲するように形成した係止突起１００−３""をヨーク円筒体３２の接地結合用嵌合溝３２Ｄに嵌められるようにして結合して構成することを特徴とする請求項１０に記載の車両用直流モーター。
【請求項１２】
絶縁手段１２０は、嵌合穴１２１が形成された支持円板１２０Ａと；前記支持円板１２０Ａの周りの下方に一定間隔を置いて放射状に配置した複数の絶縁突出片１２０Ｂ；及び支持円板１２０Ａの中央に一体で突出するように形成した回転軸７０が嵌められる回転軸の絶縁円筒体１２０Ｃ；を含んで構成することを特徴とする請求項１に記載の車両用直流モーター。
【請求項１３】
絶縁手段１２０は、アーマチュアアセンブリ２０の下方に設けた整流子本体５０Ａに突出するように形成した嵌合突起５０Ａ´を支持円板１２０Ａに形成した嵌合穴１２１に嵌めて結合し、前記整流子５０のコイル接続係止片５１Ａとコイル接続係止片５１Ａの間に前記支持円板１２０Ａの周りの下方に一定間隔を置いて放射状に配置した複数の絶縁突出片１２０Ｂと、絶縁突出片１２０Ｂを位置させて前記コイル接続係止片５１Ａに接続するコイル２１の接点と、接点が前記絶縁突出片１２０Ｂによって絶縁されるように構成することを特徴とする請求項１２に記載の車両用直流モーター。
【発明の詳細な説明】
【技術分野】
【０００１】
本発明は、車両用直流モーターに関する。より具体的に、本発明は、騷音及び振動を防止しながらモーターの効率に優れ、車両用空調装置などに適用できる車両用直流モーターに関する。
【背景技術】
【０００２】
一般に、自動車空調装置であるエアコンシステムの作動のために、外部空気を吸いこむ装置として韓国特許公開公報第２００１−００９７３４０号、第２００３−００３５２３２号などに開示されているような直流モーターが紹介されている。この直流モーターは、大気中の空気または自動車室内の空気をブロアファン（ｂｌｏｗｅｒ  ｆａｎ）を回転させて蒸発機の周りに空気が通ることで、高温多湿な空気を低温除湿された空気へと変化させて室内に流入させることで、快適な環境が維持されるようにする。
【０００３】
このような直流モーターは、内周面に磁石が配置されたヨーク（ｙｏｋｅ）の内側にアーマチュア（ａｒｍａｔｕｒｅ）が回転自在に配置される構成からなっている。前記アーマチュアは、回転軸から放射状に伸びた複数の極歯（ｔｅｅｔｈ）を有し、極歯と隣合う他の極歯の間には、アーマチュアコイルの巻線のためのスロット（ｓｌｏｔ）が軸方向に長く複数個形成されている。スロットには所定間隔を置いて複数のコイル（ｃｏｉｌ）が巻線され、それぞれのコイルは、前記アーマチュアと所定距離離隔された回転軸に装置される整流子（ｃｏｍｍｕｔａｔｏｒ）の整流子薄膜（セグメント：ｓｅｇｍｅｎｔ）に通電できるように繋がっている。また、それぞれの整流子薄膜は、ブラシ（ｂｒｕｓｈ）と通電できるように接続されている。
【０００４】
したがって、前記ブラシ（ｂｒｕｓｈ）より整流子に電流が提供されれば、各々のコイルに磁場が形成され、このように発生された磁場と前記ヨークに付着された磁石の相互作用によってアーマチュア及び整流子が取り付けられた前記回転軸が回転し、駆動力が発生するようになって、ブロアファンを回転駆動させ、車両用エアコンシステムなどに適用している。
【０００５】
このような直流モーターは、幅広くて高い精度の速度制御が可能であるため、車両の制動装置に用いられるエイビーエス（ＡＢＳ、Ａｎｔｉ−Ｌｏｃｋ  Ｂｒａｋｅ  Ｓｙｓｔｅｍ）システムにも使われ。特に、最近は、車両用直流モーター市場の要求に応じて、モーターの小型化と駆動効率の極大化はもとより、騷音及び振動防止のために様々な構造のモーターが研究開発されている。
【０００６】
前記示した特許公開公報第２００１−００９７３４０号、第２００３−００３５２３２号の直流モーターは、前者の場合、モーターの側面に騷音及び振動を吸収するラバーを挿入するものとして開発されたが、モーターの上下方向振動は遮断することができず、高速回転時にはモーター振動が増幅される問題点が指摘されていて、後者の場合、モーターの上部及び下部にＯ−リングを挿入するものであって、Ｏ−リングの圧縮による硬度増加によって振動防止効果が微弱な問題点があった。
【０００７】
また、アーマチュアコアスロットに巻線された複数のコイルを整流子の整流子薄膜にできるように連結する場合、韓国登録特許第１０−０９１１６１８号のように、整流子の上方周りに放射状に一定間隔で配置されたコイル接続係止片に前記コイルをかけて接続させ、整流子の整流子薄膜に電流が供給されるようにし、前記整流子薄膜と通電できるように取り付けるブラシホルダーは、整流子とともに韓国公開特許第１０−２０１３−００７５１１８号と同様、アーマチュアコアの下方に取り付けられている。
【０００８】
したがって、整流子の接続係止片と接続されたコイルは、アーマチュアコアスロットに重ねて巻線する時、コイルとコイルが絡み合いながらアーマチュアコアスロットに巻線されるようになるので、前記係止片に接続されたコイルと、コイルが直流モーターの駆動時に発生する振動によって相互接触されてショート現象を引き起こす恐れがあってモーターが破損するなどモーターの信頼性低下が指摘されていて、これによって前記整流子作動による整流現象が発生する時、整流子と接続されたコイルによって整流子中央に嵌められた回転軸の周りにスパーク放電が生じたり、整流子に嵌められた回転軸に前記コイルによる磁場が漏れるおそれがあってモーターの駆動効率を低下する問題点が発生する。
【０００９】
これを解消するためには、整流子とアーマチュアコアスロットを接続するコイルとコイルの間を絶縁させるか、整流子に嵌められた回転軸の周りにコイルによる磁場の漏れを防止することが求められる。
【００１０】
また、ブラシより整流子に電流を供給させるブラシホルダーのブラシは、整流子薄膜の周りの面に接して整流子が回転する時に電流を供給するものであるが、前記整流子の周りの面を構成する整流子薄膜と、薄膜の間に形成された凹溝によって相互面が接する時、前記ブラシと前記凹溝の間で騷音及び振動が発生して、騷音及び振動による直流モーターの品質を大きく低下する問題点がある。これを解消するために、以前は日本特開２００１−２４５４５号のように、ブラシホルダーの内側とブラシの外側で一定間隔を置いて弾性体を敷設しているが、この場合は、ブラシと凹溝の間の振動を弾性体によって減少することができるが、前記弾性体による振動はモーターハウジングにそのまま伝達され、騷音を大きく引き起こす問題点が依然として残る。
【００１１】
そして、従来の直流モーターにおいて、ブラシに通電するための電源供給用コネクタは、ブラシホルダーの支持体と結合できるように設けられているが、堅固な組み立てができず、安全性が不足であり、ブラシホルダーに接地構造が提供されていないため、ブラシへ電流を供給する時、漏れ電流が発生する恐れがあってモーターの誤動作をもたらし、ひいては漏れ電流が軸受けを通して流れるようになると狭い軸受けの間でスパーク（ｓｐａｒｋ）、すなわち、アーク（ａｒｃ）が発生して軸受けの表面に溝が生じる軸受け電食（電気腐食）が発生し、これによって軸受けが容易に破損する現象が生じる。
【００１２】
したがって、モーターの接地のために軸受けカバーに別途接地フレームを形成するか、軸受けカバーに孔を空けて前記孔に接地端子を固定するなどの方式が提案されているが、このような方式は、軸受けカバーの構造を複雑にしてモーターの全体的サイズを増加させるし、構造が複雑であるため設置及び分解作業が難しく、モーターの組み立てに必要な全体的作業空手を増加させる問題点があった。
【００１３】
ここで、本発明者らは、上述した実情に鑑みて、より高い効率を有し、モーターの騷音及び振動を減らすことができる改善された車両用直流モーターを提案する。
【発明の概要】
【発明が解決しようとする課題】
【００１４】
本発明は、回転軸の回転及びブラシ動作時に発生する騷音及び振動を減衰して車両内部へ騷音が伝わらないようにすることを目的とする。
【００１５】
本発明の別の目的は、整流子に接続するコイルの接点と接点を絶縁してショート現象を排除すると同時に、整流子に嵌められた回転軸の周りに磁場が漏れないようにしてモーターの信頼性を向上させる車両用直流モーターを提供することである。
【００１６】
本発明のまた別の目的は、電源供給の際に発生する漏れ電流が軸受けハウジングに伝わらないようにし、軸受けの破損によるモーターの信頼性低下を防止することを目的とする。
【課題を解決するための手段】
【００１７】
本発明による車両用直流モーターは、
カバーアセンブリ１０；
前記カバーアセンブリ１０と結合される下部ハウジング４０と、前記カバーアセンブリ１０の内部に配置される複数個の励磁極３１を有するヨークアセンブリ３０；
前記励磁極３１と相互作用するコイル２１が巻かれる複数個の極歯２２Ａを有するアーマチュアコア２２と、前記アーマチュアコア２２の上、下部に結合した上、下インシュレータ２３、２４を含んだアーマチュアアセンブリ２０；
前記アーマチュアコア２２の下方に設けられ、励磁極３１と対応して同じ個数の整流子薄膜５１を有する整流子５０；及び前記下部ハウジング４０の内側に配置され、前記アーマチュアアセンブリ２０が回転することによって前記整流子５０と選択的に接触するブラシ６１を含んだブラシホルダー６０；
前記アーマチュアコア２２と整流子５０が結合して一緒に回転する回転軸７０；
前記回転軸７０の上、下部それぞれに設けた上、下、左、右振動及び騷音減衰用緩衝手段８０；
前記ブラシホルダー６０に設けてヨークアセンブリ３０を構成するヨーク円筒体３２に嵌めて設けるブラシホルダーの左、右振動及び騷音減衰用緩衝手段９０；
前記ブラシホルダー６０の支持体６２に形成したコネクタ安着部６３に結合した電源供給用コネクタ１００を含む接地手段１１０；及び
前記ブラシホルダー６０の支持体６２中央に設けられた整流子５０の上方に接するように設けた絶縁手段１２０；
を含んで構成することを特徴とする。
【００１８】
本発明において、上、下、左、右の振動及び騷音減衰用緩衝手段８０は、上、下部ブラケット８１、８２と；上、下部弾性緩衝部材８３、８４；を含んで構成してもよい。
【００１９】
本発明において、上、下、左、右の振動及び騷音減衰用緩衝手段８０は、前記上、下部ブラケット８１、８２それぞれの支持部８１Ａ、８２Ａの折曲部の端にそれぞれ形成した凹溝部８１Ｃ、８２Ｃとヨーク円筒体３２の上、下部突部３２Ａ、３２Ｂが相互結合して構成し、前記上、下部ブラケット８１、８２それぞれの支持部８１Ａ、８２Ａの上端には結着孔８１Ｄ、８２Ｄを形成して上、下部弾性緩衝部材８３、８４に、突出するように形成した嵌合突起８３Ａ、８４Ａを前記結着孔８１Ｄ、８２Ｄに嵌めて前記上、下部弾性緩衝部材８３、８４が上、下部ブラケット８１、８２と結合して構成することもよい。
【００２０】
本発明において、前記上、下部弾性緩衝部材８３、８４は上、下部ブラケット８１、８２各々の上、下軸受け１４０、１５０を収容する上、下軸受け収容カバー８１Ｅ、８２Ｅの外側の周りを包む形態で安着するようにした後、上部弾性緩衝部材８３の外側の周りは、カバーアセンブリ１０の回転軸孔１０Ａの内側面が接するようにし、下部弾性緩衝部材８４の外側の周りは、下部ハウジング４０中央凹入部の周りの内側面と接するように設けて構成した方がよい。
【００２１】
本発明において、前記嵌合突起８３Ａ、８４Ａは、係止突起８３Ａ´、８４Ａ´を形成して構成してもよい。
【００２２】
本発明において、前記ブラシホルダーの左、右振動及び騷音減衰用緩衝手段９０は、ブラシホルダー６０の支持体６２に一定間隔を置いて突出するように形成した複数の嵌合突起６２Ａと結合する複数の緩衝部材９０Ａと；前記緩衝部材９０Ａの外側の周りに形成した嵌合凹入部９０Ａ´を含んで構成するが、前記緩衝部材９０Ａの嵌合凹入部９０Ａ´をヨーク円筒体３２の下方の周りに形成した嵌合突部３２Ｃに嵌めて設けた方がよい。
【００２３】
本発明において、前記緩衝部材９０Ａの内部には、嵌合空間部９０Ａ"を形成して前記嵌合突起６２Ａが嵌められるように構成した方がよい。
【００２４】
本発明において、前記緩衝部材９０Ａの嵌合空間部９０Ａ"の内側両端には、前、後方係止突起９０Ａ−１を形成し、前記係止突起９０Ａ−１、９０Ａ−２に前記嵌合突起６２Ａの凹入部６２Ａ−１が嵌められるようにして、嵌合突起６２Ａと緩衝部材９０Ａが結合されるように構成することが好ましい。
【００２５】
本発明において、前記ヨーク円筒体３２の下方の周りに形成した嵌合突部３２Ｃは、中央に形成した空間部３２Ｃ´両端に突出させた突出片で形成して、前記空間部３２Ｃ´の内側の下端は、前記緩衝部材９０Ａの嵌合凹入部９０Ａ´の上端に接し、ヨーク円筒体３２両側の嵌合突部３２Ｃは、前記緩衝部材９０Ａの嵌合凹入部９０Ａ´の両側に嵌めて結合構成した方がよい。
【００２６】
本発明において、電源供給用コネクタ１００を含む接地手段１１０は、前記円筒状支持体６２のブラシケース６１Ａの内部にバネ６１Ｂでブラシ６１を弾設させ、整流子薄膜５１に前記ブラシ６１を接するようにして通電されるように構成するブラシホルダー６０において、前記支持体６２のブラシホルダー６０の支持体６２に形成したコネクタ安着部６３の両端に形成した係止孔６３Ａに電源供給用コネクタ１００の本体１００−１の両端に突出するように形成した締結片１００−１´の係止突起１００−１"をかけて締結し、前記本体１００−１の内部に挿入された＋電源用コネクタピン１００−２と、接地用コネクタピン１００−３各々の下方に突出するように形成した嵌合突出接続片１００−２´、１００−３´を前記コネクタ安着部６３底面の外側の下方に突出するように位置させ、前記嵌合突出接続片１００−２´、１００−３´の嵌合溝１００−２"、１００−３"にチョークコイル１６０各々の一側端子を嵌めて接続し、前記接地用コネクタピン１００−３の一側に形成した接地端子１００−３´"をヨーク円筒体３２の接地結合用嵌合溝３２Ｄに嵌めて構成することが好ましい。
【００２７】
本発明において、前記接地端子１００−３´"は、接地用コネクタピン１００−３の一側上方に突出させ、内側に屈曲形成した係止突起１００−３""をヨーク円筒体３２の接地結合用嵌合溝３２Ｄに嵌めるようにして結合構成することが好ましい。
【００２８】
本発明において、絶縁手段１２０は、嵌合穴１２１が形成された支持円板１２０Ａと；前記支持円板１２０Ａの周りの下方に一定間隔を置いて放射状に配置した複数の絶縁突出片１２０Ｂ；及び支持円板１２０Ａの中央に一体で突出するように形成した回転軸７０が嵌められる回転軸絶縁円筒体１２０Ｃ；を含んで構成することが好ましい。
【００２９】
本発明において、絶縁手段１２０は、アーマチュアアセンブリ２０の下方に設けた整流子本体５０Ａに突出するように形成した嵌合突起５０Ａ´を支持円板１２０Ａに形成した嵌合穴１２１に嵌めて結合し、前記整流子５０のコイル接続係止片５１Ａとコイル接続係止片５１Ａの間に前記支持円板１２０Ａの周りの下方に一定間隔を置いて放射状に配置した複数の絶縁突出片１２０Ｂと絶縁突出片１２０Ｂを位置させて前記コイル接続係止片５１Ａに接続するコイル２１の接点と、接点が前記絶縁突出片１２０Ｂによって絶縁されるように構成した方がよい。
【発明の効果】
【００３０】
本発明は、ブラシホルダーで発生する振動及びモーターの回転軸が回転する時に発生する振動をブラシホルダーに設けた緩衝部材及び回転軸の上、下方に取り付けた緩衝部材を通じて緩衝させて整流子薄膜とブラシを接触する時に発生する振動及び騷音と回転軸が回転する時に発生する振動及び騷音を減少させ、モーターの振動による騷音減衰効果を大きく増進することができる。
【００３１】
また、本発明は、ヨークアセンブリを構成するヨーク円筒体をブラシホルダーに装着した緩衝部材と結合させると同時に、回転軸の上、下方に設けた緩衝部材を、ブラケットを媒介にしてヨーク円筒体と結合させてヨーク円筒体に伝わる振動を最小化して騷音減衰効果を有すると同時に、ヨーク円筒体が堅固な結合を維持できるようにする。
【００３２】
また、本発明は、従来のように軸受けカバーに別途接地フレームを形成したり、軸受けカバーに孔を空けて前記孔に接地端子を固定するなどの方式など、複雑な接地構造がなくても接地用コネクタピンに形成した接地端子をヨーク円筒体に嵌める簡単な構造を提供して接地手段の組み立て工程を容易に行える効果を有する。
【００３３】
そして、本発明は、整流子に接続するコイルの接点と接点を絶縁してショート現象を排除すると同時に、整流子に嵌められた回転軸の周りに磁場が漏れないようにしてモーターの安全性と信頼性を向上させる効果を有する。
【図面の簡単な説明】
【００３４】
【図１】本発明によるモーターの構成図である。
【図２】本発明によるモーターの分解斜視図である。
【図３】図２の直流モーター駆動部に対する分解斜視図である。
【図４】本発明によるモーターの結合断面図である。
【図５】本発明の回転軸上部に設けた振動及び騷音減衰用緩衝手段の要部を抜粋して図示した分解斜視図である。
【図６】図５の緩衝手段の設置状態を示す構成図である。
【図７】図５の緩衝手段をカバーアセンブリに結合した構成図である。
【図８】本発明の電源供給用コネクタの設置構成図である。
【図９】本発明の電源供給用コネクタを分離した状態の一部結合構成図である。
【図１０】本発明のブラシホルダー及び電源供給用コネクタの一部分離斜視図である。
【図１１】本発明の絶縁手段を説明するための結合構成図である。
【図１２】本発明の絶縁手段を示す抜粋斜視図である。
【図１３】図１２の絶縁手段を整流子と結合して図示した構成図である。
【図１４】本発明の整流子及び絶縁手段が設けられたモーター内部の一部を示す結合構成図である。
【００３５】
以下では、添付の図面を参照して本発明によるモーターの好ましい実施例について詳細に説明する。
【発明を実施するための最良の形態】
【００３６】
図１は本発明によるモーターの構成図で、図２は分解斜視図、図３は図２の直流モーター駆動部に対する分解斜視図で、図４は本発明によるモーターの結合断面図である。
【００３７】
図１ないし図４を参照して本発明の全体構成を説明すれば、本発明の実施例によるモーターＭは、カバーアセンブリ１０、アーマチュアアセンブリ２０、ヨークアセンブリ３０及び下部ハウジング４０を含んで構成される。
【００３８】
本発明の直流モーターＭは、前記カバーアセンブリ１０と結合される下部ハウジング４０を有し、前記カバーアセンブリ１０の内部に配置される複数個の励磁極３１を有するヨークアセンブリ３０を含む。アーマチュアアセンブリ２０は、前記励磁極３１と相互作用するコイル２１が巻かれる複数個の極歯２２Ａを有するアーマチュアコア２２と、前記アーマチュアコア２２の上部及び下部にそれぞれ結合される上部及び下部インシュレータ２３、２４を含む。整流子５０は、前記アーマチュアコア２２の下方に設けられ、励磁極３１と対応して同じ個数の整流子薄膜５１を有する。ブラシホルダー６０は、前記下部ハウジング４０の内側に配置され、前記アーマチュアアセンブリ２０が回転することによって前記整流子５０と選択的に接触されるブラシ６１を含む。回転軸７０は、前記アーマチュアコア２２と整流子５０と結合されて一緒に回転するように構成される。
【００３９】
上、下、左、右の振動及び騷音減衰用緩衝手段８０は、前記回転軸７０の上、下部それぞれに設けられる。ブラシホルダーの左、右振動及び騷音減衰用緩衝手段９０は、前記ブラシホルダー６０に取り付けてヨークアセンブリ３０を構成するヨーク円筒体３２に嵌められて設けられる。接地手段１１０は、前記ブラシホルダー６０の支持体６２に形成したコネクタ安着部６３に結合した電源供給用コネクタ１００を含む。絶縁手段１２０は、前記ブラシホルダー６０の支持体６２の中央に設けられた整流子５０の上方に接するように設けられる。
【００４０】
前記カバーアセンブリ１０は、回転軸７０が貫く回転軸孔１０Ａと、後述する上、下、左、右の振動及び騷音減衰用緩衝手段８０を構成する上、下部ブラケット８１、８２の支持部８１Ａ、８２Ａを包んで保護する支持片１０Ｂと支持片１０Ｂの間に冷却孔１０Ｃを形成し、前記回転軸孔１０Ａを貫いて出た回転軸７０にブロアファン１３０が嵌められて設けられる。
【００４１】
ヨークアセンブリ３０は、前記ヨーク円筒体３２の内部に配置される複数個の励磁極３１を含んで構成し、前記励磁極３１は、２対の４極マグネットで構成されてもよい。前記ヨーク円筒体３２の上、下部縁には図３に示すように、前記上、下部ブラケット８１、８２それぞれの支持部８１Ａ、８２Ａの折曲部端のそれぞれに形成した凹溝部８１Ｃ、８２Ｃと対応される位置に上、下部突部３２Ａ、３２Ｂを形成して、前記上、下部ブラケット８１、８２の凹溝部８１Ｃ、８２Ｃと前記突部３２Ａ、３２Ｂが噛み合って結合されるようにし、ヨーク円筒体３２が堅固な状態で結合維持されるようにし、前記上、下部ブラケット８１、８２それぞれの支持部８１Ａ、８２Ａの上端には結着孔８１Ｄ、８２Ｄを形成して、後述する上、下、左、右の振動及び騷音減衰用緩衝手段８０を構成する上、下部弾性緩衝部材８３、８４に突出するように形成した嵌合突起８３Ａ、８４Ａを前記結着孔８１Ｄ、８２Ｄに嵌め、前記上、下部弾性緩衝部材８３、８４が上、下部ブラケット８１、８２と堅固な状態で結合が維持できるように構成してもよい。
【００４２】
ここで、上、下部ブラケット８１、８２の凹溝部８１Ｃ、８２Ｃ位置はヨーク円筒体３２の上、下部縁に形成した上、下部突部３２Ａ、３２Ｂの位置に対応して結合できるし、この場合、上、下部それぞれの凹溝部８１Ｃ、８２Ｃ及び突部３２Ａ、３２Ｂの位置は変更できるように設計してもよい。前記嵌合突起８３Ａ、８４Ａは、係止突起８３Ａ´、８４Ａ´を形成してより堅固に結合できるようにしてもよい。
【００４３】
前記上、下部弾性緩衝部材８３、８４は、上、下部ブラケット８１、８２それぞれの上、下軸受け１４０、１５０を収容する上、下軸受け収容カバー８１Ｅ、８２Ｅの外側の周りを包む形態で安着されるようにした後、上部弾性緩衝部材８３の外側の周りは、カバーアセンブリ１０の回転軸孔１０Ａの内側面が接するようにし、下部弾性緩衝部材８４の外側の周りは、下部ハウジング４０の中央凹入部の周りの内側面と接するように設けて提供してもよい。
【００４４】
したがって、前記上、下部弾性緩衝部材８３、８４は、上、下部ブラケット８１、８２それぞれの上、下軸受け１４０、１５０を収容する上、下軸受け収容カバー８１Ｅ、８２Ｅの外側の周りを包んで安着させた状態でカバーアセンブリ１０の回転軸孔１０Ａの内側面が前記上、下部弾性緩衝部材８３、８４の外側の周りの面を密着して結合するようにして、堅固な状態で結合されることはもとより、上、下部ブラケット８１、８２を媒介にしてヨーク円筒体３２と結合されるようにする。
【００４５】
上、下部弾性緩衝部材８３、８４は、リング状の凹凸波形で形成された弾性ポリマーで提供し、回転軸７０が回転する時に発生する振動が前記上、下部ブラケット８１、８２それぞれの上、下軸受け１４０、１５０を収容する上、下軸受け収容カバー８１Ｅ、８２Ｅに伝わっても前記収容カバー８１Ｅ、８２Ｅ外側の周りに安置された波形の上、下部弾性緩衝部材８３、８４によって緩衝させるようになるので、ダンパ機能をする緩衝部材８３、８４の剛性が増大してピッチング（ｐｉｔｃｈｉｎｇ）及びヨーイング（ｙａｗｉｎｇ）現象を排除することができるし、ブラシホルダー６０で発生する振動がヨーク円筒体３２に伝わっても伝達された振動が上、下部ブラケット８１、８２を通して前記上、下部弾性緩衝部材８３、８４に伝達されて緩衝できるようにし、前記振動による騷音を大きく減衰することができる。
【００４６】
すなわち、回転軸７０で発生する振動がヨーク円筒体３２に伝わると同時に、整流子５０が回転する時にブラシ６１が後述する整流子薄膜５１と薄膜５１の間の凹溝に沿って接触及び離脱を繰り返す時に発生する振動をヨーク円筒体３２に伝えても回転軸７０による振動は緩衝部材８３、８４によって緩衝しながらヨーク円筒体３２に伝え、前記ブラシホルダー６０で発生する振動は、後述する緩衝部材９０Ａによって緩衝しながらヨーク円筒体３２に伝えるようになるので、ヨーク円筒体３２に伝達された振動は相殺されて振動を大きく減衰させることができる。
【００４７】
そして、本発明では、前記ブラシホルダー６０に設けてヨークアセンブリ３０を構成するヨーク円筒体３２に嵌めて設けるブラシホルダーの左、右振動及び騷音減衰用緩衝手段９０を提供してブラシホルダー６０で発生する騷音を抑制することができる。
【００４８】
すなわち、前記ブラシホルダーの左、右振動及び騷音減衰用緩衝手段９０は、ブラシホルダー６０の支持体６２に一定間隔を置いて突出するように形成した複数の嵌合突起６２Ａと結合する複数の緩衝部材９０Ａと；前記緩衝部材９０Ａの外側の周りに形成した嵌合凹入部９０Ａ´を含んで構成し、前記緩衝部材９０Ａの嵌合凹入部９０Ａ´をヨーク円筒体３２の下方の周りに形成した嵌合突部３２Ｃに嵌めて設けてもよい。
【００４９】
前記緩衝部材９０Ａの内部には、嵌合空間部９０Ａ"を形成して前記嵌合突起６２Ａが嵌められるように構成してもよい。
【００５０】
そして、前記緩衝部材９０Ａの嵌合空間部９０Ａ"の内側両端には、前、後方係止突起９０Ａ−１を形成し、前記係止突起９０Ａ−１、９０Ａ−２に前記嵌合突起６２Ａの凹入部６２Ａ−１が嵌められるようにして嵌合突起６２Ａと緩衝部材９０Ａが堅固に結合されるように構成してもよい。
【００５１】
前記ヨーク円筒体３２の下方の周りに形成した嵌合突部３２Ｃは、中央に形成した空間部３２Ｃ´の両端に突出させた突出片で形成し、前記空間部３２Ｃ´の内側の下端は、前記緩衝部材９０Ａの嵌合凹入部９０Ａ´の上端に接し、ヨーク円筒体３２の両側嵌合突部３２Ｃは、前記緩衝部材９０Ａの嵌合凹入部９０Ａ´の両側に嵌めて結合できるようにする。
【００５２】
そして、前記ブラシホルダー６０は、円筒状の支持体６２のブラシケース６１Ａの内部にバネ６１Ｂでブラシ６１を弾設させて整流子薄膜５１に前記ブラシ６１を接するようにして電流が通電するように構成し、前記支持体６２の３方向に突出するように形成した嵌合突起６２Ａにゴム材または弾性ポリマーからなる緩衝部材９０Ａを嵌めて構成してもよい。
【００５３】
このような構成の左、右振動及び騷音減衰用緩衝手段９０において、ブラシ６１が整流子薄膜５１と薄膜５１の間を接触及び離脱する時に発生する左右振動、つまり、ピボット（ｐｉｖｏｔ）の動きを前記緩衝部材９０Ａによって１次的に緩衝させ、緩衝された残余振動は、上述したようにヨーク円筒体３２に伝わって、上、下部弾性緩衝部材８３、８４によって消滅させることができるので、振動による騷音を大きく下げることができる。
【００５４】
また、本発明は、ブラシホルダー６０の支持体６２に形成したコネクタ安着部６３に結合した電源供給用コネクタ１００を含む接地手段１１０を提供し、モーターＭの誤動作を引き起こすことを排除すると同時に、軸受け１４０、１５０の破損を防ぐことができる。
【００５５】
すなわち、接地手段１１０は、前記円筒状の支持体６２のブラシケース６１Ａの内部にバネ６１Ｂでブラシ６１を弾設させて整流子薄膜５１に前記ブラシ６１を接するようにして電流が通電されるように構成するブラシホルダー６０において、前記支持体６２のブラシホルダー６０の支持体６２に形成したコネクタ安着部６３の両端に形成した係止孔６３Ａに電源供給用コネクタ１００の本体１００−１の両端に突出するように形成した締結片１００−１´の係止突起１００−１"をかけて締結し、前記本体１００−１の内部に挿入された＋電源用コネクタピン１００−２と接地用コネクタピン１００−３それぞれの下方に突出するように形成した嵌合突出接続片１００−２´、１００−３´を前記コネクタ安着部６３の底面の外側下方に突出するように位置させ、前記嵌合突出接続片１００−２´、１００−３´の嵌合溝１００−２"、１００−３"にチョークコイル１６０それぞれの一側端子を嵌めて接続し、前記接地用コネクタピン１００−３の一側に形成した接地端子１００−３´"をヨーク円筒体３２の接地結合用嵌合溝３２Ｄに嵌めて構成する。
【００５６】
前記接地端子１００−３´"は、接地用コネクタピン１００−３の一側上方に突出させ、内側に屈曲するように形成した係止突起１００−３""をヨーク円筒体３２の接地結合用嵌合溝３２Ｄに嵌められるようにして結合してもよい。
【００５７】
このような構成の電源供給用コネクタ１００に含む接地手段１１０は、電源供給用コネクタ１００の本体１００−１に形成した締結片１００−１´の係止突起１００−１"をコネクタ安着部６３の係止孔６３Ａにかけて締結し、前記本体１００−１の内部に装着させた＋電源用コネクタピン１００−２と接地用コネクタピン１００−３それぞれの下方に突出するように形成した嵌合突出接続片１００−２´、１００−３´を前記コネクタ安着部６３の底面の外側下方に突出させることでチョークコイル１６０との電気的接続が行われると同時に、前記接地用コネクタピン１００−３に形成した接地端子１００−３´"の係止突起１００−３""がヨーク円筒体３２の接地結合用嵌合溝３２Ｄに嵌めて結合するので、従来のように軸受けカバーに別途接地フレームを形成させたり、軸受けカバーに孔を空けて前記孔に接地端子を固定させるなどの方式など、複雑な接地構造がなくても接地用コネクタピン１００−３に接地端子１００−３´"を形成する簡単な構造を提供して接地手段１１０の組み立て工程を容易に行うことができる。
【００５８】
そして、本発明で示される前記アーマチュアアセンブリ２０は、前記複数個の励磁極３１と相互作用するコイル２１が巻かれる複数個の極歯２２Ａを有するアーマチュアコア２２と、前記アーマチュアコア２２の上、下部に結合した上、下インシュレータ２３、２４を含んで構成され、前記アーマチュアコア２２の下部に位置して前記極歯２２Ａと対応して同じ個数の整流子薄膜５１を有する整流子５０を含む。
【００５９】
前記アーマチュアコア２２と整流子５０の中央には回転軸７０が貫くようになり、モーターＭが作動すれば、前記アーマチュアコア２２と整流子５０は回転軸７０と一緒に回転する。この時、前記回転軸７０を回転できるように支持するための軸受け１４０、１５０が前記回転軸７０の上、下部に備えられてもよい。前記各々の極歯２２Ａにはコイル２１が巻かれ、前記コイル２１に電流が印加される時、前記励磁極３１との相互作用を通じてトークを発生する。
【００６０】
前記コイル２１は、前記整流子薄膜５１の上部外側で放射状に突出して折り曲げられたコイル接続係止片５１Ａから始め、該極歯２２Ａに巻線させた後、他の整流子薄膜５１のコイル接続係止片５１Ａで連結する作業を繰り返して所望のコイル巻線が行われるようにし、前記コイル２１が前記係止片５１Ａにかかるようにした後、接続部位のコイル被覆を破壊してはんだ付けなどで電気的に接続されるようにする。
【００６１】
特に、本発明では、整流子５０に接続するコイル２１の接点と接点を絶縁させてショート現象を排除すると同時に、整流子５０に嵌められた回転軸７０の周りに磁場が漏れないようにしてモーターの信頼性を向上させる絶縁手段１２０を設けて提供してもよい。
【００６２】
すなわち、前記ブラシホルダー６０の支持体６２の中央に設けられた整流子５０の上方に接するように設けた絶縁手段１２０は、図３、図１２及び図１３に示すように、嵌合穴１２１が形成された支持円板１２０Ａと；前記支持円板１２０Ａの周りの下方に一定間隔を置いて放射状に配置した複数の絶縁突出片１２０Ｂ；及び支持円板１２０Ａの中央に一体で突出して形成した回転軸７０が嵌められる回転軸の絶縁円筒体１２０Ｃ；を含んで構成してもよく、前記絶縁手段１２０は、絶縁のためのゴム材またはポリマーで提供してもよい。
【００６３】
このような構成の絶縁手段１２０は、アーマチュアアセンブリ２０の下方に設けた整流子本体５０Ａに突出するように形成した嵌合突起５０Ａ´を支持円板１２０Ａに形成した嵌合穴１２１に嵌めて結合するが、前記整流子５０のコイル接続係止片５１Ａとコイル接続係止片５１Ａの間に前記支持円板１２０Ａの周りの下方に一定間隔を置いて放射状に配置した複数の絶縁突出片１２０Ｂと、絶縁突出片１２０Ｂを位置させて前記コイル接続係止片５１Ａに接続するコイル２１の接点と、接点が前記絶縁突出片１２０Ｂによって絶縁されるように構成してもよい。
【００６４】
したがって、整流子５０の薄膜５１の上部に放射状に配置されたコイル接続係止片５１Ａと接続されたコイル２１は、アーマチュアコア２２の極歯２２Ａに重ねて巻線する時、コイル２１とコイル２１が絡み合ってアーマチュアコア２２の極歯２２Ａに巻線されても前記コイル接続係止片５１Ａに接続されたコイル２１と、コイル２１が直流モーターＭの駆動時に発生する振動によって相互接触されることを前記絶縁突出片１２０Ｂによって絶縁するようになるので、ショート現象を引き起こす恐れを排除し、モーターが破損されるなどのモーターの信頼性低下を防ぐことができるようになる。
【００６５】
また、前記回転軸の絶縁円筒体１２０Ｃに回転軸７０が嵌められて組み立てられるので、前記整流子５０の作動による整流現象が発生する時、整流子薄膜５１のコイル接続係止片５１Ａに接続されたコイル２１に流れる磁場またはアーマチュアコア２２の内部で発生する磁場が回転軸７０に漏れなくなって整流子５０の機能低下を防止すると同時に、整流子本体５０Ａの中央に嵌められた回転軸７０の周りでスパーク放電が発生することを防止してモーターＭの駆動効率を大きく増進できるようになる。
【００６６】
以上で説明した本発明の詳細な説明は、本発明に対する理解のために例えて説明したことに過ぎず、本発明の権利範囲を定めるためのものではないことを理解しなければならない。本発明の範囲は、以下添付された特許請求範囲によって決められ、この範囲内での単純変形や変更は、全て本発明の範囲に属するものとして理解されなければならない。
【図１】
2019533420.tif 000003
【図２】
2019533420.tif 000004
【図３】
2019533420.tif 000005
【図４】
2019533420.tif 000006
【図５】
2019533420.tif 000007
【図６】
2019533420.tif 000008
【図７】
2019533420.tif 000009
【図８】
2019533420.tif 000010
【図９】
2019533420.tif 000011
【図１０】
2019533420.tif 000012
【図１１】
2019533420.tif 000013
【図１２】
2019533420.tif 000014
【図１３】
2019533420.tif 000015
【図１４】
2019533420.tif 000016
【国際調査報告】
2019533420.tif 000017
2019533420.tif 000018
2019533420.tif 000019
2019533420.tif 000020